(57)【要約】【課題】  発光区画の大きさに拘わらず隣接する発光区画内での誤放電が生じ難く、動作マージンが大きいＡＣ型ＰＤＰの電極構造を提供する。【解決手段】  バス電極２８が発光区画２６の中央部を通ることから、その発光区画２６内におけるバス電極２８，２８相互の間隔が220(μm)程度で、隣接する発光区画２６に設けられているバス電極２８との間隔1200(μm)程度に比較して極めて小さくなるので、誤放電が抑制される。また、バス電極２８の端縁から放電ギャップまでの距離が小さくされたので、バス電極２８に印加された動作パルスが比較的急峻に保たれたまま透明電極３０の放電ギャップに印加されるので、安定動作させるために必要なパネル動作電圧の範囲が拡大する。しかも、透明電極３０が発光区画２６毎に分割されていることから、バス電極２６を共通にする隣接発光区画２６に透明電極３０が連続する場合に比較して誤放電が生じにくくなる。【選択図】図１
2009245890.tif 000002
【特許請求の範囲】
【請求項１】
互いに平行に配置され且つ相互間に気密空間が形成された前面板および背面板と、前記背面板の内面に一方向に沿って設けられた複数本の書込電極と、前記前面板の内面に前記一方向と交差する他方向に沿って対を成して設けられた複数本の走査電極および複数本の維持電極と、前記複数本の書込電極と前記複数本の走査電極の交点毎に形成された複数の発光区画とを備え、前記複数本の書込電極と前記複数本の走査電極との間で放電させることによって発光区画を選択すると共に、前記複数本の走査電極および維持電極間で維持放電を発生させることによってその選択された発光区画内で可視光を発生させて前記前面板から射出する形式のＡＣ型プラズマディスプレイパネルにおける電極構造であって、
前記複数本の走査電極および前記複数本の維持電極の各々が、前記他方向に沿って前記複数の発光区画の中央部を通る細幅のバス電極と、そのバス電極よりも広幅でそれら複数の発光区画の各々毎に独立して設けられ且つ前記一方向の一端がそのバス電極よりもその発光区画の中央部寄りに位置すると共に他端がその発光区画の端部寄りに位置する複数個の透明電極とを含むことを特徴とするＡＣ型プラズマディスプレイパネルの電極構造。
【請求項２】
前記透明電極の一端は、前記バス電極の端縁よりも150(μm)以下の範囲で前記発光区画の中央部寄りに位置するものである請求項１のＡＣ型プラズマディスプレイパネルの電極構造。
【請求項３】
前記複数の発光区画の各々は前記複数本の書込電極に沿った方向における長さ寸法が1(mm)以上である請求項１または請求項２のＡＣ型プラズマディスプレイパネルの電極構造。
【発明の詳細な説明】
【技術分野】
【０００１】
本発明は、面放電構造を備えたＡＣ型プラズマディスプレイパネルの電極構造に関する。
【背景技術】
【０００２】
互いに平行に配置され且つ相互間に放電ガスが封入された気密空間が形成された前面板および背面板と、前記背面板の内面に一方向に沿って設けられた複数本の書込電極と、前記前面板の内面に前記一方向と交差する他方向に沿って対を成して設けられ且つ誘電体で覆われた複数本の走査電極および複数本の維持電極と、前記複数本の書込電極と前記複数本の走査電極の交点毎に形成された複数の発光区画とを備え、前記複数本の書込電極と前記複数本の走査電極との間で放電させることによって発光区画を選択すると共に、前記複数本の走査電極および維持電極間で維持放電を発生させることによってその選択された発光区画内で可視光を発生させることにより、文字、記号、或いは図形等の所望の画像を表示する形式のＡＣ型プラズマディスプレイパネル(Plasma Display Panel：ＰＤＰ)が知られている。
【０００３】
このようなＡＣ型ＰＤＰは、例えば、ガス放電によって生じたプラズマの生成に伴うネオン・オレンジ等の発光を直接利用し、或いは、発光区画(画素或いはセル)内に蛍光体が備えられてプラズマによって生じた紫外線により励起させられたその蛍光体の発光を利用して画像を表示する。そのため、平板型で大画面化、薄型化、および軽量化が容易であると共に、ＣＲＴ並の広い視野角および早い応答速度を有しているため、ＣＲＴに代わる画像表示装置として期待されている。ＰＤＰには種々の形式のものがあるが、上記ＡＣ型ＰＤＰは、３電極面放電構造と称される(例えば特許文献１〜３を参照。)。
【０００４】
なお、「一方向に沿った放電空間」は、例えば真っ直ぐな隔壁(リブ或いはリブ状壁ともいう)で気密空間を区画することで形成されるが、本願においては、その隔壁が幅方向の両側に交互に屈曲しながら一方向に向かって延びることにより、相互に隣接する発光区画、例えばＲＧＢ三色がそれぞれ割り当てられた３区画がデルタ配列となるようなものも含まれる。また、複数本の放電空間に代えて発光区画毎に空間的に区分された放電空間が設けられるものもある。
【０００５】
上記のような面放電構造のＡＣ型ＰＤＰにおいては、光の射出側である前面板内面に維持放電のための電極が設けられることから、その維持放電電極が発生した光の射出を妨げて輝度を低下させることを抑制する目的で、従来から、維持放電電極を細幅のバス電極と、これに重ねて設けられた広幅の透明電極とから構成することが行われている。透明電極は導電性に劣ることから、それよりも導電性の高い不透明な導体材料から成るバス電極と併用することで、導電性および透光性を両立させる構造である。
【特許文献１】特開２００２−３２４４９０号公報
【特許文献２】特開２００６−１０８０７１号公報
【特許文献３】特開２００７−０８７９２６号公報
【発明の開示】
【発明が解決しようとする課題】
【０００６】
ところで、従来の面放電構造のＰＤＰの維持電極では、バス電極が透明電極上のうち放電ギャップ側から最も離れた位置に設けられていた。しかしながら、この電極構造は、例えば家庭用のＴＶ受像器など、発光区画の大きさが0.22×0.66(mm)程度のＰＤＰにおいては好適であったが、屋外用表示装置のように発光区画の長辺の大きさが例えば1(mm)以上になるようなものに適用したところ、隣接する発光区画(特に隔壁の長手方向に隣接する発光区画)内での誤放電が生じ易く、動作マージンが小さいことから安定動作させることが困難であることが明らかになった。
【０００７】
上記の問題は以下の理由によるものと考えられる。表示放電電極上の誘電体層は略平坦な表面に形成されていることから、バス電極上の誘電体厚みが透明電極上のそれよりも薄くなるので、そのバス電極上の容量が大きくなってより多くの電荷が蓄えられる。そのため、表示放電電極のうちそのバス電極上の部分がアドレス放電の起点となり易いが、発光区画の大きさが0.22×0.66(mm)程度の場合には、バス電極の端部から透明電極の放電ギャップまでの距離が十分に小さく、例えば100(μm)以下になることから、バス電極上で発生した電荷が透明電極全面に広がり易い。したがって、隣接する発光区画内のバス電極との距離に対して放電開始電圧が十分に低くなるので誤放電が生じにくい。これに対して、発光区画の長辺が1(mm)を越えるようなものでは、上記放電ギャップまでの距離が例えば300(μm)程度にもなることから、電荷が透明電極全面に広がりにくくなる。そのため、隣接する発光区画内のバス電極との距離に対して放電開始電圧が高くなるので、誤放電が生じ易くなり、延いては安定表示させるための動作マージンが小さくなるものと考えられる。また、バス電極の端部から導電性の低い透明電極の端部までの距離が拡大すると、バス電極に急峻なパルスが印加されてもその透明電極の放電ギャップ近傍では緩やかなパルスになるため放電しにくくなる。その結果、安定表示させるために必要なパネル動作電圧の範囲が狭くなり、特に長時間使用する際には放電電圧の変動によって表示状態が不安定になる問題がある。
【０００８】
本発明は、以上の事情を背景として為されたものであって、その目的は、発光区画の大きさに拘わらず隣接する発光区画内での誤放電が生じ難く、動作マージンが大きいＡＣ型ＰＤＰの電極構造を提供することにある。
【課題を解決するための手段】
【０００９】
斯かる目的を達成するための本発明の要旨とするところは、互いに平行に配置され且つ相互間に気密空間が形成された前面板および背面板と、前記背面板の内面に一方向に沿って設けられた複数本の書込電極と、前記前面板の内面に前記一方向と交差する他方向に沿って対を成して設けられた複数本の走査電極および複数本の維持電極と、前記複数本の書込電極と前記複数本の走査電極の交点毎に形成された複数の発光区画とを備え、前記複数本の書込電極と前記複数本の走査電極との間で放電させることによって発光区画を選択すると共に、前記複数本の走査電極および維持電極間で維持放電を発生させることによってその選択された発光区画内で可視光を発生させて前記前面板から射出する形式のＡＣ型プラズマディスプレイパネルにおける電極構造であって、前記複数本の走査電極および前記複数本の維持電極の各々が、前記他方向に沿って前記複数の発光区画の中央部を通る細幅のバス電極と、そのバス電極よりも広幅でそれら複数の発光区画の各々毎に独立して設けられ且つ前記一方向の一端がそのバス電極よりもその発光区画の中央部寄りに位置すると共に他端がその発光区画の端部寄りに位置する複数個の透明電極とを含むことにある。
【発明の効果】
【００１０】
このようにすれば、前述したようにアドレス放電の起点となり易いバス電極が発光区画の中央部を通って設けられていることから、その発光区画内におけるバス電極相互の間隔が、隣接する発光区画に設けられているバス電極との間隔に比較して十分に小さくなる。そのため、その隣接する発光区画内で誤放電が生ずることが抑制される。また、バス電極の端縁から導電性の低い透明電極の放電ギャップまでの距離が小さくなることから、バス電極に印加された動作パルスが比較的急峻に保たれたまま透明電極の放電ギャップに印加されるので、安定動作させるために必要なパネル動作電圧の範囲が拡大する。しかも、透明電極が発光区画毎に分割されていることから、バス電極を共通にする隣接発光区画に透明電極が連続する場合に比較して誤放電が生じにくくなる。これらにより動作マージンが拡大する。また、透明電極の一端がバス電極よりも発光区画の中央部寄りに位置することから、維持放電が安定して発生し易くなるので、動作マージンが一層拡大する。したがって、誤放電が生じ難く且つ動作マージンが大きいＡＣ型ＰＤＰの電極構造が得られる。
【００１１】
なお、透明電極を端縁がバス電極よりも発光区画の中央部寄りに位置させることで動作マージンが拡大するのは、製造時の位置ずれに起因する放電開始電圧のばらつきが抑制されるためである。不透明なバス電極はできるだけ細くすることが望ましい一方、透明電極の導電性を補うためにはバス電極と透明電極との重なり面積が大きいことが望ましい。そのため、バス電極全体を透明電極上に形成するのがよい。また、放電の起点となり易いバス電極を隣接する発光区画から遠ざけると共にそのバス電極から透明電極の放電ギャップまでの距離を短くして動作マージンを確保するためには、バス電極ができるだけ放電ギャップ側に設けられることが望ましく、端縁を透明電極と揃えることも考えられる。しかし、電極を位置ずれなく形成することは困難であるから、揃えようとすると透明電極のバス電極からのはみ出し量にばらつきが生じることは避けられない。予め一定値だけはみ出すように設計すれば、製造時の位置ずれが放電開始電圧に影響することを抑制できる。
【００１２】
また、前記特許文献１には、透明電極を発光区画毎に独立して形成したＡＣ型ＰＤＰが記載されている。しかしながら、このＡＣ型ＰＤＰは、消費電力を低下させると共に発光効率を高めることを目的とするもので、記載されている発光区画寸法が小さいことから、家庭用のＴＶ受像器等に用いられるものである。そのため、バス電極の配置は特に考えられておらず、従来と同様に発光区画の端部位置に設けられている。
【００１３】
また、前記特許文献２には、透明電極を発光区画毎に独立して形成すると共に、バス電極を発光区画の中心部に配置したＰＤＰが記載されている。しかしながら、このＰＤＰでは放電ギャップ側においてバス電極の端部と透明電極の端部とが同一位置に設けられている。そのため、隣接した発光区画内との間の誤放電は抑制されているが、同一位置に形成することは極めて困難であるから、前述したようにはみ出し量にばらつきが生じ、延いては動作マージンが得られない問題がある。
【００１４】
ここで、好適には、前記透明電極の一端は、前記バス電極の端縁よりも150(μm)以下の範囲で前記発光区画の中央部寄りに位置するものである。前述したように、透明電極の一端をバス電極の端縁よりも発光区画の中央部寄りに位置させると、放電開始電圧のばらつきが抑制されて動作マージンが拡大するが、バス電極の端縁が放電ギャップから遠ざかるほど放電開始電圧が高くなって動作マージンが減じられる。バス電極からのはみ出し量が150(μm)を超えると、後者の影響が顕著になってくるので、可及的に大きい動作マージンを得るためには、150(μm)とすることが好ましい。なお、上記はみ出し量は、10(μm)以上に定めることが一層好ましい。
【００１５】
また、好適には、前記透明電極は、前記複数の発光区画の各々の輪郭に倣った輪郭形状を備えたものである。透明電極は発光区画全体に放電を広げるためのものであることから、その形状に倣った形状であることが好ましい。例えば、複数の発光区画の各々が矩形を成す場合には、透明電極もその発光区画と同様なアスペクト比の矩形を成すことが好ましい。
【００１６】
また、好適には、前記複数の発光区画の各々は前記複数本の書込電極に沿った方向における長さ寸法が1(mm)以上である。本発明は、このような大きな発光区画を有するＰＤＰに適用された場合に特に顕著な効果を得ることができる。
【発明を実施するための最良の形態】
【００１７】
以下、本発明の一実施例を図面を参照して詳細に説明する。なお、以下の実施例において図は適宜簡略化或いは変形されており、各部の寸法比および形状等は必ずしも正確に描かれていない。
【００１８】
図１は、本発明のガス放電表示装置の一例であるＡＣ型カラーＰＤＰ(以下、単にＰＤＰという)１０の構成を一部を切り欠いて示す斜視図であり、図２は、その一断面を示す図である。図１、図２において、ＰＤＰ１０は、透光性を有する前面板１２および背面板１４と、それら前面板１２および背面板１４との間に形成された気密空間を一方向に沿って配列された複数の放電空間１６に区画形成する複数本の長手状の隔壁１８とを備えている。
【００１９】
上記の前面板１２および背面板１４は、例えば何れも軟化点が700(℃)程度のソーダライムガラスから成り、1.1〜3(mm)程度の均一な厚さ寸法を有するガラス平板である。また、上記の隔壁１８は、B2O3系、PbO系等の低軟化点ガラスを主成分とするもので、例えばアルミナ等の無機充填材（フィラ−）やその他の無機顔料等を適量含んで構成された多孔質のガラス膜である。隔壁１８は、例えば幅寸法が100(μm)程度、高さ寸法が150(μm)程度で、500(μm)程度の一様な中心間隔で設けられている。
【００２０】
また、前記の前面板１２上には、上記隔壁１８の長手方向と直交する一方向に沿って伸びる互いに平行な複数対の表示放電電極２０ａ、２０ｂ（以下、特に区別しないときは単に表示放電電極２０という）が、誘電体層２２および保護膜２４で覆われて設けられている。図３に表示放電電極２０の配設状態を平面視にて示すように、表示放電電極２０の各対相互の中心間隔Cpは、例えば1500(μm)程度である。上記の誘電体層２２は、例えば硼珪酸ガラス等の低軟化点ガラスから成るもので、例えば50(μm)程度の厚さ寸法で設けられている。また、上記の保護膜２４は、MgO膜から成るもので、例えば800(nm)程度の厚さ寸法で設けられている。図１と図３を対比すれば明らかなように、本実施例においては、発光の最小単位である発光区画２６が上記表示放電電極２０の長手方向においては前記隔壁１８によって空間的に区分されており、その隔壁１８の長手方向においては、表示放電電極２０ａ，２０ｂの各対の間で電気的に区分されている。したがって、発光区画２６の各々の大きさは、500(μm)×1500(μm)である。
【００２１】
上記の表示放電電極２０の各々は、前記隔壁１８に直交する方向に沿って伸びる細幅のバス電極２８と、そのバス電極２８上にその長手方向に断続的に設けられた複数個の透明電極３０とから構成されている。バス電極２８は、例えばCr-Cu-Cr或いはAg等の厚膜導体から成るもので、対を成す表示放電電極２０を構成するものとの相互間隔gbが例えば220(μm)程度となる位置に、2〜8(μm)程度の厚さ寸法および80(μm)程度の幅寸法wbで設けられたものである。すなわち、バス電極２８は、発光区画２６の中央部位置に設けられている。また、上記の透明電極３０は、ＩＴＯ（Indium Tin Oxide：酸化インジウム錫）やＡＴＯ（Antimon Tin Oxide ：酸化アンチモン錫）等の透明導体材料から成るもので、1(μm)以下の厚さ寸法を有し、各々がバス電極２８の長手方向において300(μm)程度、幅方向において600(μm)程度の矩形を成し、対を成す表示電極２０を構成するものとの相互間隔giが例えば80(μm)程度となる位置に設けられている。したがって、表示放電電極２０ａ，２０ｂの各対において、透明電極３０，３０はバス電極２８，２８よりも発光区画の中央部寄りにそれぞれ70(μm)程度だけはみ出して設けられている。
【００２２】
また、表示放電電極２０の各々に設けられた複数個の透明電極３０のバス電極２８の長手方向における中心間隔は500(μm)程度で、相互間隔は200(μm)程度である。透明電極３０は、500(μm)程度の中心間隔で設けられた前記隔壁１８の相互間に配置されている。また、上記寸法から明らかなように、隔壁１８の長手方向において相互に隣接する一の発光区画２６内の表示放電電極２０と他の発光区画２６内の表示放電電極２０との相互間隔は、透明電極３０相互が220(μm)程度、バス電極２８相互が1200(μm)程度である。また、本実施例においては、図３に示されるように、上記透明電極３０が発光区画２６毎に独立して設けられている。
【００２３】
図１、図２に戻って、前記の背面板１４上には、その全面を覆うアンダーコート３２が設けられ、その上に複数本の書込電極３４が、前記複数の隔壁１８に沿ってそれらの間の位置にオーバーコート３６に覆われて設けられている。この書込電極３４は、例えば厚膜銀等の導電性の高い金属から形成されたものであり、幅寸法が200(μm)程度、相互の中心間隔は前記隔壁１８の中心間隔に等しい例えば500(μm)程度である。隔壁１８は、上記のオーバーコート３６上に立設されている。
【００２４】
また、上記のアンダーコート３２は例えば低アルカリガラス或いは無アルカリガラス等から成り、オーバーコート３６は例えば低軟化点ガラスおよび無機フィラーから成るものである。これらアンダーコート３２およびオーバーコート３６は、書込電極３４が加熱処理によって拡散し易く且つ不純ガスを吸着し易い厚膜銀から成ることから、その書込電極３４と背面板１４との反応および後述の蛍光体層４２の汚染を防止する目的で設けられている。したがって、書込電極３４がNi厚膜や、Al、Cr−Cu−Cr、Au等の薄膜から構成される等、反応が生じ難い場合にはアンダーコート３２やオーバーコート３６は設けられなくともよい。また、オーバーコート３６に含まれる無機フィラーは、例えば酸化チタン等から成る白色フィラーであり、オーバーコート３６を白色化することで蛍光体の発光を表示側へ反射させて輝度を高める目的で添加されている。
【００２５】
また、上記のオーバーコート３６の表面すなわち背面板１４の内面および隔壁１８の側面には、各放電空間１６毎に塗り分けられた蛍光体層３８が例えば50(μm)程度以下の範囲で色毎に定められた厚みで設けられている。蛍光体層３８は、例えば紫外線励起により発光させられるＲ（赤），Ｇ（緑），Ｂ（青）等の発光色に対応する蛍光体の何れかから成るものであり、隣接する放電空間１６相互に異なる発光色となるように設けられている。上記のように３色の蛍光体層３８が塗り分けられる場合には、表示の１画素は、前記図３において横方向に並ぶ３つの発光区画２６で構成される。したがって、本実施例では、１画素の大きさが1500(μm)×1500(μm)である。
【００２６】
なお、各電極の接続構成は図示を省略するが、表示放電電極２０ａ，２０ｂのうちの維持電極として機能させられる一方、例えば、表示放電電極２０ａは、全面で共通の配線に接続され、走査電極として機能させられる他方、例えば表示放電電極２０ｂは、個別の配線に接続される。また、複数本の書込電極３４はそれぞれ個別の配線に接続される。
【００２７】
上記のＰＤＰ１０は、例えば、良く知られたＡＤＳ駆動方法で駆動されるもので、選択期間において、走査電極として機能する表示放電電極２０ｂに順次に所定の電圧を印加して走査すると共に、その走査のタイミングに同期して書込電極３４のうちの所定のものにデータパルスを印加すると、そのデータパルスに応じた発光区画内で放電(アドレス放電)が発生して壁電荷が形成される。このようにして点灯させる発光区画を選択したのち、表示期間では、表示放電電極２０ａ，２０ｂ間に全面で一括して維持放電パルスを印加する。これにより、壁電荷が形成された発光区画ではその壁電荷が重畳されて放電開始電圧を超えるので放電が開始し、表示期間中維持される。壁電荷が形成されていないすなわち選択されていない発光区画では、表示放電電極２０ａ，２０ｂ間の印加電圧では放電開始電圧に満たないので放電が発生しない。このような選択期間および表示期間を与えられたデータに応じて順次に繰り返すことにより、画像が連続的に表示される。
【００２８】
このとき、本実施例においては、バス電極２８が発光区画２６の中央部を通って設けられていることから、その発光区画２６内におけるバス電極２８，２８相互の間隔が220(μm)程度で、隣接する発光区画２６に設けられているバス電極２８との間隔1200(μm)程度に比較して極めて小さくなる。そのため、その隣接する発光区画内で誤放電が生ずることが抑制される。また、バス電極２８の端縁から透明電極３０の放電ギャップまでの距離が70(μm)程度と小さくされた結果、バス電極２８に印加された動作パルスが比較的急峻に保たれたまま透明電極３０の放電ギャップに印加されるので、安定動作させるために必要なパネル動作電圧の範囲が拡大する。しかも、透明電極３０が発光区画２６毎に分割されていることから、バス電極２６を共通にする隣接発光区画２６に透明電極３０が連続する場合に比較して誤放電が生じにくくなる。これらにより動作マージンが拡大する。また、透明電極３０の一端がバス電極２８よりも発光区画２６の中央部寄りに位置することから、維持放電が安定して発生し易くなるので、動作マージンが一層拡大する。したがって、誤放電が生じ難く且つ動作マージンが大きくなる。
【００２９】
ところで、前記のＰＤＰ１０は、例えば、以下のようにして製造される。先ず、前記前面板１２を構成するためのガラス基板上の全面に、例えばスパッタにて厚さ寸法が1(μm)以下のＩＴＯ膜を形成する。次いで、これにフォトレジストを塗布し、乾燥処理を施した後、縦×横＝600×300(μm)の大きさの矩形パターンがその横方向に200(μm)の一定の間隔で並び、且つ上記縦方向に80(μm)の相互間隔の２列を対として、各対の相互間隔が220(μm)(すなわち中心間隔が1500(μm))になるように形成されたフォトマスクを用いて露光し、現像・洗浄処理を施す。次いで、エッチング処理を施して無用なＩＴＯ膜を除去する。これにより、ガラス基板上に前記の透明電極３０が形成される。
【００３０】
次いで、別途調製した感光性Agペーストを用意し、上記の透明電極３０が形成されたガラス基板上の全面に塗布し乾燥処理を施した後、幅寸法が80(μm)の細幅パターンがその幅方向に220(μm)の相互間隔で並ぶ２本を一対として、各対の相互間隔が1200(μm)(すなわち中心間隔が1500(μm))となるように形成されたフォトマスクを用いて紫外線露光し、炭酸カルシウム濃度が4(％)の水溶液を１分程度の時間これに吹きつけて、感光していないAgペーストを除去する。次いで、550〜600(℃)の範囲内の温度で焼成処理を施し、形成したパターンに導電性を与える。これにより、ガラス基板上に前記のバス電極２８が形成される。
【００３１】
次いで、上記のガラスペーストをバス電極２８，透明電極３０の形成面に50(μm)程度の厚さ寸法で塗布し、550〜600(℃)の温度で焼成処理を施すことにより、緻密な絶縁体から成る前記誘電体層２２が得られる。次いで、真空蒸着装置を用いてMgO膜を800(nm)の厚さ寸法で形成することにより、前記の前面板１２が得られる。
【００３２】
一方、前記背面板１４を構成するためのガラス基板を用意し、例えば厚膜スクリーン印刷法を用いて、その一面にAgペーストを幅寸法200(μm)、中心間隔500(μm)で縞状に塗布し、550〜600(℃)の温度で焼成処理を施して導電性を与えることにより、前記の書込電極３４が得られる。なお、前記のアンダーコート３２が設けられる場合には、この書込電極３４の形成に先立ってガラスペーストを全面に塗布し、乾燥処理、焼成処理を施す。
【００３３】
次いで、上記の基板上の全面にガラスペーストを塗布し、乾燥処理を施した後、ガラスペーストを幅寸法100(μm)、乾燥後の厚さ寸法(高さ寸法)150(μm)、中心間隔500(μm)で、上記の書込電極３４相互間の中央位置に塗布する。これを550〜600(℃)の温度で焼成処理することにより、前記の隔壁１８が得られる。
【００３４】
次いで、上記の隔壁１８の相互間に蛍光体ペーストを色毎に塗り分けて塗布し、450〜500(℃)で焼成処理を施すことにより、バインダを除去する。これにより、前記の蛍光体層３８が得られる。次いで、内面外周部にフリットガラスを塗布し、350〜400(℃)で焼成処理を施すことにより、背面板１４が完成する。
【００３５】
次いで、前記の前面板１２と背面板１４とを重ね合わせ、350〜400(℃)で封着し、内部から大気を排気して放電ガスを封入する。これにより、前記ＰＤＰ１０が得られる。
【００３６】
上記の製造工程において、バス電極２８は、感光性Agペーストを塗布して露光・現像することによって形成されることから、透明電極３０の形成位置精度と露光時のフォトマスクの位置精度などに起因して相対位置が変化し得る。このとき、本実施例においては、放電ギャップ側において透明電極３０の端縁がバス電極２８の端縁よりも70(μm)程度だけ突き出して設けられていることから、上記のような位置ずれが生じても、放電ギャップ側にバス電極２８の端縁がはみ出すことがなく、また、透明電極３０の突き出し量に放電特性に影響するほどのばらつきが生じない。したがって、製造時の位置ずれに起因する放電開始電圧の変化が抑制され、延いては動作マージンが容易に確保される。
【００３７】
続いて、上記のＰＤＰ１０の電極構造の動作安定性を、全体寸法が100×380(mm)で、画素寸法が1.5×1.5(mm)の評価用パネルを用いて、前述したようなＡＤＳ駆動方法で評価した結果を説明する。
【００３８】
図４は、評価に用いた電極構成を説明するための図で、バス電極２８の放電ギャップ側の相互間隔が、(ａ)では335(μm)、(ｂ)では670(μm)、(ｃ)では1185(μm)になっている。他の部分の構成は前記図１〜図３に示したＰＤＰ１０と同一である。バス電極２８の端縁から放電ギャップまでの距離は、(ａ)では127.5(μm)、(ｂ)では295(μm)、(ｃ)では552.5(μm)である。図４(ａ)はＰＤＰ１０に近い構造で、バス電極２８が発光区画２６の中央部に設けられているが、透明電極３０のバス電極２８からのはみ出し量が50(μm)程度だけ大きい。図４(ｂ)はバス電極２８が透明電極３０の中央部を通るもので、図４(ｃ)はバス電極２８が発光区画２６の端部に設けられているものである。
【００３９】
それぞれについて、安定表示可能な駆動電圧すなわち動作マージンを評価した結果を図５に示す。「安定表示可能」とは、漏れ発光を生ずることなく選択した全ての発光区画２６を点灯させることができることを意味する。図５(ａ)、(ｂ)は、図４(ａ)の電極構造の試験結果で、図５(ｃ)〜(ｅ)は図４(ｂ)の電極構造の試験結果である。なお、図４(ｃ)の電極構造では常に漏れ発光か不灯があって安定表示が不可能であったので図を省略した。それぞれ複数のサンプルについて試験し、代表的な結果を示した。また、図５において、実線は表示全域の動作マージンを、破線はパネル中央の□５０(mm)の領域の動作マージンをそれぞれ意味する。
【００４０】
図４(ａ)の電極構造では、図５(ａ)、(ｂ)に示すように、パネル中央部については、書込電極３４に印加する選択電圧Vaが65〜80(V)の範囲、表示放電電極２０に印加する表示電圧Vsが160〜200(V)程度の範囲に安定表示可能領域があった。また、表示全域についても、選択電圧Vaが70〜80(V)、表示電圧Vsが170〜200(V)程度の範囲で、安定表示が可能である。選択電圧Vaが低い領域では、安定表示可能な表示電圧Vsの上限が180〜190(V)に留まるが、選択電圧Vaについて75(V)を中心に±5(V)程度、表示電圧Vsについて190(V)を中心に±10(V)程度の動作マージンがある。
【００４１】
これに対して、図４(ｂ)の電極構造では、図５(ｃ)〜(ｅ)に示すように、パネル中央部については、選択電圧Vaが70〜80(V)、或いは75〜80(V)の範囲、表示電圧Vsが170〜200(V)程度の範囲で、安定動作が可能であった。しかしながら、表示全域については、図５(ｃ)に示すサンプルでは、Va＝75〜80(V)、Vs＝170〜200(V)の範囲で安定動作が可能である結果が得られたものの、図５(ｄ)に示すサンプルではVa＝80(V)のときのみ安定動作が可能、図５(ｅ)に示すサンプルでは安定動作可能な領域がなしで、動作マージンを確保できない。
【００４２】
上記の試験結果によれば、バス電極２８の相互間隔が大きくなるほど動作マージンが小さくなり、少なくとも、透明電極３０の中央部よりも発光区画２６の端部側の位置にバス電極２８を設けると、動作マージンを確保することが困難であることが明らかである。
【００４３】
下記の表１および図６は、上記の評価を更に進めたもので、透明電極３０のバス電極２８からの放電ギャップ側におけるはみ出し量(表１では「突き出し量」)と表示電圧Vsの動作マージンとの関係を評価した結果を表したものである。この評価は、はみ出し量が相違する他は同様に構成したサンプルを用い、書込電圧Vaを60〜80(V)の範囲で変化させて書込電圧Va毎に表示電圧Vsの動作マージンを測定し、その結果を表１および図６に表した。「マージン合計」は測定した書込電圧Va毎に測定した動作マージンを合計したもので、この値が大きいほど前記図５に示される安定動作領域が広いことを意味する。
【００４４】
【表１】
2009245890.tif 000003
【００４５】
上記の評価結果に示されるように、突き出し量が0のときには、十分な動作マージンが得られる場合も、全く動作マージンが得られない場合もあり、全体として安定しているとは言い難い結果であった。
【００４６】
これに対して、透明電極３０がバス電極２８から僅かでも突き出していると、動作マージンを確保することができ、突き出し量が大きくなるに従って動作マージンが大きくなる。但し、突き出し量が大きくなり過ぎると、前記図４(ｂ)の電極構造に近づくことになるから、安定動作領域が小さくなる傾向があり、更に前記図４(ｃ)の構造に近づけば、動作マージンが全く得られなくなる。上記の評価結果では、突き出し量が87.5(μm)のときに最も大きな動作マージンを得ることができ、一方、150(μm)を超えると、動作マージンが却って小さくなる傾向が認められた。したがって、透明電極３０のバス電極２８からの放電ギャップ側のはみ出し量は150(μm)以下の範囲に留められることが好ましい。また、はみ出し量の設定値が小さくなり過ぎると、製造時のばらつきなどでバス電極２８が透明電極３０よりも内側(放電ギャップ側)に位置する場合も生ずるので、少なくとも10(μm)以上のはみ出し量に設定することが好ましい。
【００４７】
以上、本発明を図面を参照して詳細に説明したが、本発明は更に別の態様でも実施でき、その主旨を逸脱しない範囲で種々変更を加え得るものである。
【図面の簡単な説明】
【００４８】
【図１】本発明の一実施例のカラーＰＤＰの構成を一部を切り欠いて模式的に示す斜視図である。
【図２】隔壁の長手方向に沿った断面において、図１のＰＤＰの断面構造の要部を説明する図である。
【図３】表示放電電極の配設状態を平面視にて示す図である。
【図４】(ａ)〜(ｃ)は動作安定性の評価に用いた電極構造を説明する図である。
【図５】(ａ)〜(ｅ)は、図４に示す電極構造(ａ)〜(ｃ)で安定表示可能電圧を評価して結果を示す図である。
【図６】透明電極のバス電極からの突き出し量と動作マージンとの関係を示す図である。
【符号の説明】
【００４９】
１０：ＰＤＰ、１２：前面板、１４：背面板、２０：表示放電電極、２２：誘電体層、２６：発光区画、２８：バス電極、３０：透明電極、３４：書込電極
【図１】
2009245890.tif 000004
【図２】
2009245890.tif 000005
【図３】
2009245890.tif 000006
【図４】
2009245890.tif 000007
【図５】
2009245890.tif 000008
【図６】
2009245890.tif 000009